【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】  液晶表示基板と、この液晶表示基板の駆動回路が設けられたフレキシブルプリント基板とを備え、
上記液晶表示基板は、液晶表示部と、第１の側縁部に複数の駆動電圧供給線の端部が配置された第１電極部と、上記液晶表示部を挟んで上記第１の側縁部と対向する第２の側縁部に複数の駆動電圧供給線の端部が配置された第２電極部とを備え、
上記フレキシブルプリント基板は、第１の側縁部に複数の駆動電圧供給線の端部が配置され、上記液晶表示基板の第１電極部に装着された第１装着部と、上記液晶表示基板の液晶表示部の裏面側を覆う中間部と、上記第１の側縁部と上記中間部を挟んで対向する第２の側縁部に複数の駆動電圧供給線の端部が配置され、上記液晶表示基板の第２電極部に装着された第２装着部とを備える、電子部品。
【請求項２】  上記液晶表示基板の第１電極部と第２電極部が互いに平行であり、かつ、上記フレキシブルプリント基板の第１装着部と第２装着部とが互いに平行である、請求項１に記載の電子部品。
【請求項３】  上記フレキシブルプリント基板の第１装着部が液晶表示基板の第１電極部に装着され、上記フレキシブルプリント基板の第２装着部が液晶表示基板の第２電極部から取り外されると、上記フレキシブルプリント基板の第２装着部の少なくとも一部が液晶表示基板の第２電極部の外側に位置する、請求項１又は請求項２に記載の電子部品。
【請求項４】  上記フレキシブルプリント基板の中間部に上記第１又は第２装着部と同方向に延びる切込を備える、請求項１から請求項３のいずれか１項に記載の電子部品。
【請求項５】  上記フレキシブルプリント基板は、上記第１及び第２の側縁部に対して交差する方向に延びる第３の側縁部に外部接続用の電圧供給線の端部が配置された第３装着部を備える、請求項１から請求項４のいずれか１項に記載の電子部品。
【請求項６】  液晶表示基板の駆動回路が設けられたフレキシブルプリント基板であって、
第１の側縁部に複数の駆動電圧供給線の端部が配置された第１装着部と、上記第１の側縁部と対向する第２の側縁部に複数の駆動電圧供給線の端部が配置された第２装着部と、上記第１装着部と上記第２装着部を連結する中間部とを備える、フレキシブルプリント基板。
【請求項７】  上記第１装着部と第２装着部が互いに平行である、請求項６に記載のフレキシブルプリント基板。
【請求項８】  上記第１装着部と第２装着部の対向方向の中心から第２装着部までの長さが、この中心から第１装着部までの長さよりも長い、請求項６又は請求項７に記載のフレキシブルプリント基板。
【請求項９】  上記中間部に上記第１又は第２装着部と同方向に延びる切込を備える、請求項６から請求項８のいずれか１項に記載のフレキシブルプリント基板。
【請求項１０】  上記第１及び第２の側縁部に対して交差する方向に延びる第３の側縁部に外部接続用の電圧供給線の端部が配置された第３装着部を備える、請求項６から請求項９のいずれか１項に記載のフレキシブルプリント基板。
【請求項１１】  板状部品にフィルム状部品を実装するための部品実装装置であって、
上記板状部品は、第１の側縁部に設けられた第１被装着部と、上記第１の側縁部と対向する第２の側縁部に設けられた第２の被装着部とを備え、
上記フィルム状部品は、第１の側縁部に設けられた第１装着部と、上記第１の側縁部と対向する第２の側縁部に設けられた第２装着部と、上記第１装着部と第２装着部を連結する中間部とを備え、
上記板状部品の一方の面が上記フィルム状部品の中間部で覆われるように、上記板状部品の第１被装着部に上記フィルム状部品の第１装着部を装着する第１実装機と、
上記第１被装着部に上記フィルム状部品の第１装着部が装着されている上記板状部品の第２被装着部に、上記フィルム状部品の第２装着部を装着する第２実装機と
を備える部品実装装置。
【請求項１２】  上記第１実装機は、
上記板状部品の第１被装着部に対して接着材を供給する接着材供給部と、
上記フィルム状部品の第１装着部を保持して上記板状部品の第１被装着部に対して位置決めし、第１の圧着力で圧着する仮圧着ヘッドを備える仮圧着部と、
上記板状部品の第１被装着部に対して上記フィルム状部品の第１装着部を上記第１の圧着力よりも大きい第２の圧着力で圧着し、上記板状部品の第１被装着部に上記フィルム状部品の第１装着部を固定する本圧着部と、
上記板状部品を保持し、上記接着材供給部、上記仮圧着部、及び上記本圧着部に順に搬送する搬送部と、
上記フィルム状部品を上記仮圧着部に供給するフィルム状部品供給部と
を備える、請求項１１に記載の部品実装装置。
【請求項１３】  上記第１実装機は、上記板状部品を、上記板状部品の第１被装着部に第１装着部が装着されたフィルム状部品と共に搬出するための搬出部をさらに備え、
この搬出部は、上記板状部品及びフィルム状部品を第１実装機内から第１実装機外に移動させるアンローダと、上記フィルム状部品の一部を保持して上記板状部品から離反する方向に撓ませて上記板状部品を露出させる第１のフィルム状部品剥がし機構と、この第１のフィルム状部品剥がし機構によって露出されている板状部品を保持し、上記フィルム状部品と共に上記搬送部から上記アンローダに移載する第１の移載機構とを備える、請求項１２に記載の部品実装装置。
【請求項１４】  上記フィルム状部品供給部は、第１実装機外から第１実装機内に上記フィルム状部品を移動させる第１のローダを備え、
この第１のローダは、第１実装機外と第１実装機内とを往復移動し、上記フィルム状部品がその上面に保持される搬入プレートを備え、この搬入プレートの上面は上記フィルム状部品の第１装着部が載置される部分の高さが、上記フィルム状部品の第２装着部が載置される部分の高さよりも低く、
上記仮圧着ヘッドは、上記フィルム状部品の第１装着部近傍を保持する第１ヘッドと、上記フィルム状部品の第２装着部近傍を保持する第２ヘッドとを備え、上記第１ヘッドの高さが上記第２ヘッドの高さよりも低い、
請求項１２又は請求項１３に記載の部品実装装置。
【請求項１５】  上記第２実装機は、
上記板状部品の第２被装着部に対して接着材を供給する接着材供給部と、
フィルム状部品の第２装着部を保持して上記板状部品の第２被装着部に対して位置決めし、第１の圧着力で圧着する仮圧着ヘッドを備える仮圧着部と、
上記板状部品の第２被装着部に対して上記フィルム状部品の第２装着部を上記第１の圧着力よりも大きい第２の圧着力で圧着し、上記板状部品の第２被装着部に上記フィルム状部品の第２装着部を固定する本圧着部と、
上記板状部品を上記フィルム状部品と共に上記接着材供給部、上記仮圧着部、及び上記本圧着部に順に搬送する搬送部
とを備え、
上記接着材供給部は、上記フィルム状部品の一部を保持して上記板状部品から離反する方向に撓ませて上記板状部品の第２被装着部を露出させる第２のフィルム状部品剥がし機構を備え、この第２のフィルム状部品剥がし機構により露出されている第２被装着部に対して接着材を供給する、請求項１１に記載の部品実装装置。
【請求項１６】  上記第２実装機は、上記板状部品を上記第１実装機により第１被装着部に第１装着部が装着されたフィルム状部品と共に、第２実装機内に搬入するための搬入部をさらに備え、
この搬入部は、上記板状部品及びフィルム状部品を第１実装機外から第１実装機内に移動させるローダと、上記フィルム状部品を上記板状部品から離反する方向に撓ませて上記板状部品を露出させる第３のフィルム状部品剥がし機構と、この第３のフィルム状部品剥がし機構によって露出されている板状部品を保持し、上記ローダから上記搬送部に上記フィルム状部品と共に移載する第２の移載機構とを備える、請求項１５に記載の部品実装装置。
【請求項１７】  上記搬入部は、上記第２の移載機構が上記板状部品を保持した後に上記フィルム状部品に対して第３のフィルム状部品剥がし機構から離反する方向に気体を噴射する気体噴射機構をさらに備える、請求項１６に記載の部品実装装置。
【請求項１８】  上記接着材供給部は、上記第２のフィルム状部品剥がし機構が上記フィルム状部品を保持するときに、上記フィルム状部品の第１装着部近傍を上記板状部品に押し付けて固定するフィルム状部品押え機構を備える、請求項１５から請求項１７のいずれか１項に記載の部品実装装置。
【請求項１９】  上記第２実装機の搬送部は、
上記板状部品を保持する保持ステージと、
この保持ステージに対して進退可能であると共に、上記フィルム状部品を保持可能であって、進出位置では保持ステージに保持された上記板状部品の第２被装着部の上方に位置し、退避位置では上記板状部品に対して離隔する保持ブロックとを備える、請求項１５から請求項１８のいずれか１項に記載の部品実装装置。
【請求項２０】  上記保持ブロックの表面に、摩擦低減のための被覆層が設けられている、請求項１９に記載の部品実装装置。
【請求項２１】  上記接着材供給部は、上記保持ブロックを退避位置から進出位置に移動させる第１のアクチュエータを備え、
上記板状部品の第２被装着部に接着材を供給した後、上記第１のアクチュエータが上記保持ブロックを上記退避位置から進出位置に移動させ、上記第２のフィルム状部品剥がし機構がフィルム状部品を解放し、上記保持ブロックが上記フィルム状部品を保持する、請求項１９又は請求項２０に記載の部品実装装置。
【請求項２２】  上記搬送部は上記保持ブロックに連結されたカムフォロアを備え、
上記仮圧着部は、上記カムフォロアに当接して上記保持ブロックを上記保持ステージに対して近接及び離反させるためのカムと、このカムを駆動する第２のアクチュエータとを備える、請求項１９又は請求項２０に記載の部品実装装置。
【請求項２３】  上記第２のアクチュエータは、上記保持ブロックが上記退避位置へ向けて移動した後に上記進出位置に移動し、それによってフィルム状部品は上記保持ブロックに保持された第２被装着部側の端部が上記板状部品の第２装着部よりも板状部品の中央側に位置する第１の姿勢となるように、上記カムを駆動し、
上記仮圧着部は、上記フィルム状部品が第１の姿勢にあるときに、上記板状部品を認識する板状部品認識部を備える、請求項２２に記載の部品実装装置。
【請求項２４】  上記第２のアクチュエータは、上記保持ブロックが退避位置に移動し、それによってフィルム状部品は第２装着部側の端部が板状部品の第２被装着部よりも外側に位置する第２の姿勢となるように、上記カムを駆動し、
上記仮圧着部は、上記フィルム状部品が第２の姿勢にあるときに、上記フィルム状部品を認識する第１のフィルム状部品認識部を備える、請求項２２又は請求項２３に記載の部品実装装置。
【請求項２５】  上記第１のフィルム状部品認識部による認識後に、上記仮圧着ヘッドが上記フィルム状部品の第２電極部を含む部分を保持し、
上記仮圧着部は、上記仮圧着ヘッドにより保持された上記フィルム状部品の第２電極部を認識する第２のフィルム状部品認識部を備える、請求項２２から請求項２４のいずれか１項に記載の部品実装装置。
【請求項２６】  上記第１実装機と上記第２実装機を連結し、上記板状部品と、上記第１実装機によりこの板状部品の上記第１被装着部に第１装着部が装着されたフィルム状部品とを、上記第１実装機から上記第２実装機に移載する移載機をさらに備える、請求項１１から請求項２５のいずれか１項に記載の部品実装装置。
【請求項２７】  上記板状部品は液晶表示基板であり、上記フィルム状部品はこの液晶表示基板の駆動回路が形成されたフレキシブルプリント基板である、
請求項１１から請求項２６のいずれか１項に記載の部品実装装置。
【請求項２８】  板状部品にフィルム状部品を実装するための部品実装機であって、
上記板状部品は、第１の側縁部に設けられた第１被装着部と、上記第１の側縁部と対向する第２の側縁部に設けられた第２被装着部とを備え、
上記フィルム状部品は、第１の側縁部に設けられた第１装着部と、上記第１の側縁部と対向する第２の側縁部に設けられた第２装着部とを備え、
上記板状部品の第１被装着部に対して接着材を供給する接着材供給部と、
上記フィルム状部品の第１装着部を保持して上記板状部品の第１被装着部に対して位置決めし、第１の圧着力で圧着する仮圧着ヘッドを備える仮圧着部と、
上記板状部品の第１被装着部に対して上記フィルム状部品の第１装着部を上記第１の圧着力よりも大きい第２の圧着力で圧着し、上記板状部品の第１被装着部に上記フィルム状部品の第１装着部を固定する本圧着部と、
上記板状部品を保持し、上記接着材供給部、仮圧着部、及び本圧着部に順に搬送する搬送部と、
上記フィルム状部品を上記仮圧着部に供給するフィルム状部品供給部と
を備える部品実装機。
【請求項２９】  板状部品にフィルム状部品を実装するための実装機であって、
上記板状部品は、第１の側縁部に設けられた第１被装着部と、上記第１の側縁部と対向する第２の側縁部に設けられた第２被装着部とを備え、
上記フィルム状部品は、第１の側縁部に設けられた第１装着部と、上記第１の側縁部と対向する第２の側縁部に設けられた第２装着部とを備え、
上記板状部品の第１被装着部に対して、上記フィルム状部品の第１装着部が予め装着され、
上記板状部品の第２被装着部に対して接着材を供給する接着材供給部と、
フィルム状部品の第２装着部を保持して上記板状部品の第２被装着部に対して位置決めし、第１の圧着力で圧着する仮圧着ヘッドを備える仮圧着部と、
上記板状部品の第２被装着部に対して上記フィルム状部品の第２装着部を上記第１の圧着力よりも大きい第２の圧着力で圧着し、上記板状部品の第２被装着部に上記フィルム状部品の第２装着部を固定する本圧着部と、
上記板状部品を上記フィルム状部品と共に上記接着材供給部、上記仮圧着部、及び上記本圧着部に順に搬送する搬送部
とを備え、
上記接着材供給部は、上記フィルム状部品の一部を保持して上記板状部品から離反する方向に撓ませて上記板状部品の第２被装着部を露出させる第１のフィルム状部品剥がし機構を備え、この第１のフィルム状部品剥がし機構により露出されている第２被装着部に対して接着材を供給する、部品実装機。
【請求項３０】  板状部品にフィルム状部品を実装する部品実装方法であって、
上記板状部品は、第１の側縁部に設けられた第１被装着部と、上記第１の側縁部と対向する第２の側縁部に設けられた第２被装着部とを備え、
上記フィルム状部品は、第１の側縁部に設けられた第１装着部と、上記第１の側縁部と対向する第２の側縁部に設けられた第２装着部、上記第１装着部と第２装着部を連結する中間部とを備え、
上記板状部品の一方の面が上記フィルム状部品の中間が覆われるように、上記板状部品の第１被装着部に上記フィルム状部品の第１装着部を装着する第１のステップと、
上記板状部品の第２被装着部に上記フィルム状部品の第２装着部を装着する第２のステップとを備える
部品実装方法。